(57)【特許請求の範囲】
【請求項１】
検出器に着脱自在であって該検出器の検出領域を表示する検出領域表示器において、
前記検出器の検出領域を表示するための可視光を投光する投光部と、
前記投光部を連動させて投光角度を調整する検出領域調整操作部と、
前記検出器の検出領域に前記投光部が投光する位置関係でのみ前記検出器に内設された検出領域の設定部と前記検出器の調整孔に挿通させて連結され、前記位置関係を保持したまま前記投光部と前記設定部とを前記検出領域調整操作部の調整操作に連動させる連動部と、
前記投光部に電源を供給する電源部とを備えることを特徴とする検出領域表示器。
【発明の詳細な説明】
【０００１】
【発明の属する技術分野】
本発明は、人体、火災などを検出する検出器の検出領域を確認又は設定するときに使用する検出領域表示器に関する。
【０００２】
【従来の技術】
従来、ビル、事務所などの建物内への侵入者、自動扉への人の到来などを検出する人体検出器、火災を検出する火災検出器などが種々実用化されている。
人体検出器には、検出領域内から入射される赤外線量を検出し、人の有無を検出するパッシブ型がある。
【０００３】
ここでは、このパッシブ型人体検出器（以下、人体検出器という。）における検出領域の確認方法を例に、従来の技術を説明する。
侵入者を検出する人体検出器が侵入者を検出するためには、人間が侵入可能な侵入経路を検出領域に設定しなければならない。
そこで、この検出領域を確認する手段が種々提案されている。例えば実公昭５９−２９２７０号公報では、人体検出器を検出する点検者が棒の先端にマグネットを付けた点検用の治具を使用して、人体検出器に設けた磁気スイッチを操作することにより、所定時間だけ検出領域確認モードに設定する。この検出領域確認モードでは、人体検出器が人を検出する毎に検出領域確認用の表示灯を点滅させる。検出領域の確認作業は、先ず人体検出器を検出領域確認モードに設定する。そして、点検者が検出領域の内外を実際に動きながら、点検者自身を人体検出器に検出させ、表示灯の点滅状態を目視する。このとき、点検者が検出領域内にいるときは、表示灯が点滅し、点検者が検出領域外にいるときは表示灯が消灯している。この表示灯を目視することにより、点検者は、検出領域を確認するのである。
【０００４】
【発明が解決しようとする課題】
従来の人体検出器では、点検者が検出領域内外を動いているときしか検出領域を確認できない。また、人体検出器の検出領域の設定変更は人体検出器を直接操作しなければならず、検出領域内からでは検出領域の設定変更を行なうことができない。つまり、点検者が検出領域を確認しながら、検出領域を設定・変更できなかった。
【０００５】
本発明は、上記問題点に鑑み、検出器の検出領域を確認しながら検出領域の設定・変更を行うことができる検出領域表示器を提供することを目的とする。
【０００６】
【課題を解決するための手段】
本発明は、前記問題点を解決するために、次の構成を有する検出領域表示器を提供する。すなわち、検出器に着脱自在であって該検出器の検出領域を表示する検出領域表示器であって、前記検出器の検出領域を表示するための可視光を投光する投光部と、前記投光部を連動させて投光角度を調整する検出領域調整操作部と、前記検出器の検出領域に前記投光部が投光する位置関係でのみ前記検出器に内設された検出領域の設定部と前記検出器の調整孔に挿通させて連結され、前記位置関係を保持したまま前記投光部と前記設定部とを前記検出領域調整操作部の調整操作に連動させる連動部と、前記投光部に電源を供給する電源部とが設けられている。この手段により、検出領域を視認できない検出器の検出領域が視認でき、検出領域を確認しながら検出領域の設定が可能になる。そして、検出器の設置時の調整、保守点検の効率化が図れ、別体のため複数の検出器に使用でき、本体組み込みの場合と比較してコストが低減でき、電源を別に持ち検出器の電源を使用しないので、検出器の電源に対し影響を与えることがない。
【０００７】
【発明の実施の形態】
以下、本発明の実施の形態について図面を参照して説明する。
図１は人体検出器の検出領域と、人体検出器に連結した検出領域表示器２が表示する可視光照射領域との関係を示す図である。本図に示すように、天井３に配置されたパッシブ型人体検出器１（以下、人体検出器１という）は検出領域Ａで人体を検出する。人体検出器１に連結した検出領域表示器２は、検出領域Ａとほぼ一致する可視光照射領域Ｂを表示する。なお、人体検出器１は壁に取り付けてもよい。以下詳細に説明する。
【０００８】
図２は図１の検出領域表示器２の構造を示す図である。まず、本図に示すように、人体検出器１は、検出領域Ａから赤外線を集光し、集光した赤外線を図示しない赤外線検出素子に入射させる集光ミラー１１（検出領域設定部）を有している。そして、赤外線検出素子に入射される赤外線量を監視しており、監視領域Ａへの人の出入りによる赤外線量の変化を検出すると、図示しない警報装置に信号を送出する。この集光ミラー１１は、任意の検出領域Ａからの赤外線を入射可能にするため角度を変えることができ、歯車１４、これに歯合する歯車１２、これと結合する連動部１３を介して、外部から入射角度を調整することが可能である。集光ミラー１１を除く人体検出器１の外観を遮蔽する枠１５が設けられ、枠１５には、連動部１３を検出領域表示器２に連結させる検出領域調整孔１６が設けられる。
【０００９】
次に、本図に示すように、検出領域表示器２においては、連動部２０１は、人体検出器１の検出領域Ａから赤外線を集光する集光ミラー１１と、検出領域表示器２の投光部２０５とに検出領域調整つまみ２１１の回動を連動させる。
押さえ部２０２は、人体検出器１に検出領域表示器２を連結させたときに検出領域表示器２を人体検出器１の前記枠１５を挟み込ませて安定させる。
【００１０】
歯車２０３は、連動部２０１に取り付けられ、検出領域調整つまみ２１１とともに回動し、人体検出器１の前記歯車１２と同一のものが使用される。
歯車２０４は、該歯車２０３と歯合するように設けられ、投光部２０５と軸２０６にて連結し、人体検出器１の前記歯車１４と同一のものが使用される。
図３は図２の投光部２０５を説明する図である。
【００１１】
前記投光部２０５は、複数のレーザー光の発光素子からなり、発光素子が軸２０６に取り付けられ、人体検出器１の前記集光ミラー１１に入射する赤外線の入射範囲（人体検出器１の検出領域）の外周の可視光をポイント照射し、前述のように検出領域調整つまみ２１１の回動と連動して照射角度が可変となるようになっている。なお、本例では、複数の素子にてポイント照射としているが、単数の素子で検出領域のほぼ同一領域を照射するようにしてもよいし、また、可視光を投光するのであれば、レーザー光に限るものではない。
【００１２】
電池電源２０８は、投光部２０５に、電源線２０７を介して、電源供給を行う。本例では、電池電源としているが、外部の商用電源等から電源供給を受けてもよい。
電源スイッチ２１０は、電源２０８から投光部２０５への電源供給をＯＮ／ＯＦＦ制御する。
【００１３】
前記検出領域調整つまみ２１１は、人体検出器１の検出領域を調整し、連結している連動部２０１にその動作が伝わる。なお、人体検出器１が天井、壁のいずれに取り付けられていても、調整可能である。
図４は人体検出器１に検出領域表示器２を取り付けた状態を示す図である。本図に示すように、人体検出器１に検出領域表示器２を取り付けるには、連動部２０１を人体検出器１の検出領域調整孔１６を通して、人体検出器１の前記連動部１３と連結させる。なお、検出領域表示器２の連動部２０１と、人体検出器１の連動部１３とは、所定の位置関係でのみ連結可能にするために凹凸が設けられている。これにより、検出領域表示器２から投光する可視光照射領域Ｂと検出器１の検出領域Ａとを常にほぼ一致させることが、以下のように、可能になる。
【００１４】
人体検出器１に検出領域表示器２が取り付けられ、検出領域を調整するときの検出領域表示器２の動作について説明する。
先ず、検出領域調整つまみ２１１を矢印の如く回転させると、検出領域調整つまみ２１１と連結されている連動部２０１も回動する。
連動部２０１の回動は、歯車２０３、２０４、軸２０６を介して投光部２０５に伝えれる。
【００１５】
また、連動部２０１は、連動部１３、歯車１２、歯車１４を介して、集光ミラー１１に伝えられる。
そして、歯車２０３と歯車１２、歯車２０４と歯車１４は同一のものを使用しているので、検出領域調整つまみ２１１の操作が投光部２０５と人体検出器１の集光ミラー１１と同様に伝わる。さらに、集光ミラー１１の赤外線の入射可能な角度と、投光部２０５から投光される可視光線の照射角度とは、ほぼ一致するように設定している。
【００１６】
したがって、人体検出器１の検出領域Ａと、検出領域表示器２が照射する可視光線により表示する可視光照射領域Ｂとはほぼ一致する。つまり、検出領域表示２は、検出器１の検出領域を表示することが可能となる。
上述したように構成され、動作する検出領域表示器２にて、検出器１の検出領域を調整する操作について述べる。
【００１７】
点検者は、検出領域表示器２を検出器１に取り付ける。そして、電源スイッチ２１０をＯＮにすると、図１に示す如く投光部２０５から可視光線が検出領域に投光される。検出領域Ａと可視光線の照射領域Ｂとはほぼ一致する。これにより、人体検出器１の現在設定されている検出領域Ａが視認できるようになる。
点検者は、可視光照射領域Ｂを見ながら検出領域調整つまみ２１１を操作する。検出領域調整つまみ２１１の操作に応じて、集光ミラー１１と投光部２０５とが同じ動きをするので、検出領域Ａと可視光照射領域Ｂも同様の関係を維持しながら動く。したがって、可視光照射領域Ｂを見ながら人体検出器１の検出領域Ａを調整可能となる。
【００１８】
本実施形態では、パッシブ型の人体検出器に使用する検出領域表示器を説明したが、これに限らず、例えば炎を検出する火災検出器、アクティブ型の人体検出器、物体検出器などの検出領域を視認できない検出器に広く適用することができる。
本発明によれば、検出領域を視認できない検出器の検出領域を視認でき、検出領域を確認しながら検出領域の設定ができる。
【００１９】
そして、点検者の手間が省け、検出器の設置時の調整や保守点検の効率化が図れる。
また、検出器とは別体としているので、複数の検出器に使用できる。そのため、検出器の検出領域をいたずらに変更されることがなく、検出領域表示機能を持つ検出器に比べ、検出器の機器コストが低減できる。
【００２０】
検出器とは別に、検出領域表示器に表示用の電源を持つので、検出器の電源寿命に影響を与えることがない。
【図面の簡単な説明】
【図１】検出器の検出領域と、検出器に連結した検出領域表示器２が表示する可視光照射領域の関係を示す図である。
【図２】図１の検出領域表示器２の構造を示す図である。
【図３】図２の投光部２０５を説明する図である。
【図４】検出器１に検出領域表示器２を取り付けた状態を示す図である。
【符号の説明】
１…検出器
２…検出領域表示器
１１…検出領域設定部
２０５…投光部
２０１、２０３、２０４、２０６…連動部
２０８…電源供給部
２１１…検出領域調整操作部
【図１】
0003580625.tif 000002
【図２】
0003580625.tif 000003
【図３】
0003580625.tif 000004
【図４】
0003580625.tif 000005